(57)【要約】【課題】本発明は、射出成形機に故障が発生した場合、故障の診断に必要なデータがコントローラ内部メモリに記憶され、このデータを外部に容易に取り出すことを目的とする。【解決手段】本発明による射出成形機の故障診断方法及びコントローラは、射出成形機(50)に故障が発生した場合、コントローラ画面(21)上に故障箇所(40)及び故障内容(41)が表示され、故障の診断に必要なデータ(22a)がコントローラ内部メモリ(22)に記憶され、故障診断出力スイッチ(23)のオン動作により、故障の診断に必要なデータ(22a)のみが出力ポート(24)から出力される方法と構成である。【選択図】図１
2011083958.tif 000002
【特許請求の範囲】
【請求項１】
射出成形機(50)の動作を制御するために用いられ、少なくともコントローラ画面(21)、コントローラ内部メモリ(22)、故障診断出力スイッチ(23)及び出力ポート(24)とを有するコントローラにおいて、
前記射出成形機(50)に故障が発生した場合、前記コントローラ画面(21)上に少なくとも故障箇所(40)及び故障内容(41)が表示されると共に、前記故障の診断に必要なデータ(22a)が前記コントローラ内部メモリ(22)に記憶され、前記故障診断出力スイッチ(23)のオン動作により、前記故障の診断に必要なデータ(22a)のみが前記出力ポート(24)から出力されることを特徴とするコントローラ。
【請求項２】
前記出力ポート(24)には外部記憶媒体(30)が接続され、前記データ(22a)のみが前記外部記憶媒体(30)に記憶されることを特徴とする請求項１記載のコントローラ。
【請求項３】
前記データ(22a)のみがプリンタ(25)に入力されて記録されることを特徴とする請求項１又は２記載のコントローラ。
【請求項４】
射出成形機(50)の動作を制御するために用いられ、少なくともコントローラ画面(21)、コントローラ内部メモリ(22)、故障診断出力スイッチ(23)及び出力ポート(24)とを有するコントローラ(20)を用いる射出成形機の故障診断方法において、
前記射出成形機(50)に故障が発生した場合、前記コントローラ画面(21)上に少なくとも故障箇所(40)及び故障内容(41)が表示されると共に、前記故障の診断に必要なデータ(22a)が前記コントローラ内部メモリ(22)に記憶され、前記故障診断出力スイッチ(23)のオン動作により、前記故障の診断に必要なデータ(22a)のみが前記出力ポートから出力されることを特徴とする射出成形機の故障診断方法。
【請求項５】
前記出力ポート(24)には外部記憶媒体(30)が接続され、前記データ(22a)のみが前記外部記憶媒体(30)に記憶されることを特徴とする請求項４記載の射出成形機の故障診断方法。
【請求項６】
前記データ(22a)のみがプリンタ(25)に入力されて記録されることを特徴とする請求項４又は５記載の射出成形機の故障診断方法。
【発明の詳細な説明】
【技術分野】
【０００１】
本発明は、射出成形機の故障診断方法及びコントローラに関し、特に、射出成形機に故障が発生した場合、故障の診断に必要なデータがコントローラ内部メモリに記憶され、このデータを外部に容易に取り出すことができるようにするための新規な改良に関する。
【背景技術】
【０００２】
従来、用いられていたこの種の射出成形機としては、例えば、後述の特許文献１等に開示された構成が採用されている。
前述の射出成形機は、例えば、図３〜図５で示される電動射出成形機で構成されている。
【０００３】
図３中、仮想線で示す５０は射出成形機であり、機台Ｍｂと、この機台Ｍｂ上に設置された射出装置Ｍｉ及び型締装置Ｍｃを備える。この機台Ｍｂには制御装置１を配設し、この制御装置１の制御パネル１１は、機台Ｍｂのケーシング側面に配設されている。
【０００４】
図４は、制御装置１のブロック系統図を示す。制御装置１は、ＣＰＵ，ＲＯＭ，ＲＡＭ等を内蔵したコンピュータ機能を有するコントローラ本体（処理部）１２を備え、このコントローラ本体１２にはＥＥＰＲＯＭ等の書込消去可能な不揮発性メモリ４を内蔵する。また、コントローラ本体１２には各種周辺機器を接続する。周辺機器において、２５はプリンタ、１４は図３に示す制御パネル１１上に配設するディスプレイを示す。この場合、ディスプレイ１４にはタッチパネル部１５が付属し、指又はペンを用いて、ディスプレイ１４に表示される第二のメモ画面３（図３）に手書入力できる。１６はキーボード、１７は制御装置１により設定された金型毎の成形条件データ等をフロッピィディスクやＩＣカード等の外部メモリ１８に書き込んだり或いは外部メモリ１８から読み込むための入出力ドライバであり、それぞれ図３に示す制御パネル１１上に配設する。
【０００５】
また、コントローラ本体１２には、カメラ（デジタルカメラ、ビデオカメラ等）１９とマイクロフォン１９ａを接続する。これにより、カメラ１９で撮像した画像データ及びマイクロフォン１９ａにより集音した音声データをコントローラ本体１２に入力することができる。さらに、コントローラ本体１２は、通信部１２ａを介してサイバースペース（インターネット（電話回線）、イントラネット等）Ｎに接続する。これにより、他のシステム等と各種データや電子メールの送受信を行うことができる。
【０００６】
次に、本実施例に係る制御装置１の機能（動作）について、説明する。
まず、ファンクションキーにより「支援装備」を選択すれば、ディスプレイ１４に、図３に示す支援装備画面Ａが表示される。この支援装備画面Ａは、下半部にプリンタの印刷メニュー画面Ａｐを有すると共に、上半部の左側に第一のメモ画面２を有し、上半部の右側に第二のメモ画面３を有する。
【０００７】
この場合、第一のメモ画面２には、金型毎の条件メモデータを表示できる。この条件メモデータの表示及び処理は、特公平７−６７７２４号公報で開示される制御装置の機能に基づいて実施できる。即ち、キーボード１６又はディスプレイ１４に表示（ウィンドウ表示）される文字入力キーを利用して、金型毎の条件メモデータを文字入力し、第一のメモ画面２に表示することができる。図３は、条件メモデータとして「キャビ４残りやすい」の文字を表示した場合を示す。このような条件メモデータは、金型（成形品）に固有の成形情報等をメモ書きする目的で用いられる。従って、メモデータの内容としては、製品重量、使用樹脂、グレード、周辺機器の条件、金型の癖、成形注意点等の主に使用金型に関連するノウハウ情報となる。
【０００８】
また、入力した条件メモデータは、金型に係わる成形条件データ等に付属して一体的に処理される。即ち、成形条件データ等と一緒に外部メモリ１８や内部のバックアップメモリに記憶し或いは読出しが行われると共に、成形条件表としてプリントアウトする際には条件メモデータも一緒にプリントアウトされる。このように、第一のメモ画面２に表示する条件メモデータは、個々の金型に関係する固有のメモデータとなる。従って、データの性質上、他の金型に誤って使用されることは許されず、常に、金型に係る成形条件データ等と一体的に処理される。
【０００９】
一方、第二のメモ画面３は、ここで追加した画面であり、この第二のメモ画面３には、上述した条件メモデータ以外の汎用メモデータを表示する。従って、メモデータの内容としては、メンテナンス情報、直交代引継情報、週間／月間生産予定情報、操作注意情報等の主に運用情報となる。また、入力した汎用メモデータは、金型の成形条件データを含む他のデータとは関係なく独立して処理される。即ち、汎用メモデータは、コントローラ本体１２に内蔵する不揮発性メモリ４に記載されると共に、金型の交換に関係なく異なる金型に跨って表示される。さらに、条件メモデータとは異なり、外部メモリ１８には書き込まれないと共に、成形条件表と一緒にプリントアウトされることもない。
【００１０】
図５には、第二のメモ画面３を抽出して示す。第二のメモ画面３は、同図に示すように、メモデータを表示するメモボード３１を有すると共に、このメモボード３１の隣に、各種選択キー、即ち、関連付キー３２、手書メモキー３３、音声メモキー３４、画像メモキー３５、メールキー３６、和英翻訳キー３７、英和翻訳キー３８、スケジュールキー３９、プログラムキー３９ａ、お客様窓口キー４２を有する。図５は、一例として、スケジュールキー３９を選択し、メモボード３１に、「１０／２０  １０：１０  成形機定期点検」を文字表示した場合を示す。このような汎用メモデータは、条件メモデータとは異なり、金型の交換に関係なく表示される。従って、表示された日時に至るまで有効に表示可能となる。なお、汎用メモデータの文字入力も、第一のメモ画面２の場合と同様に行うことができる。
【００１１】
このように構成される制御装置１は、主に、タッチパネル部１５、キーボード１６、カメラ１９及びマイクロフォン１９ａが、汎用メモデータを入力する機能を有すると共に、主に、コントローラ本体１２及びディスプレイ１４が、入力された汎用メモデータを表示する機能を有し、これらは、表示処理機能Ｆａとして機能する。また、主に、コントローラ本体１２、不揮発性メモリ４及び通信部１２ａは、汎用メモデータを、条件メモデータを含む他のデータに対して独立してデータ処理するデータ処理機能Ｆｂとして機能する。
【００１２】
前述の従来構成の射出成形機の場合、例えば、射出成形機が故障した場合、この射出成形機に付属されたディスプレイに表示された故障箇所、故障内容により、このディスプレイ上で故障画面、保全画面及び動作画面を読み出して閲覧しつつ故障内容を把握していた。
すなわち、図６に示されるように、射出成形機が動かない場合、アラームが出力されているか否かを確認し（第１ステップ１００）、イエスの場合は、サーボ系アラームか否かを確認し（第２ステップ１０１）、イエスの場合はサーボ系アラーム画面にて内容を確認し（第３ステップ１０３）、ノーの場合には、その他アラーム画面にて内容を確認し（第４ステップ１０４）、前記第１ステップ１００でノーの場合、トルク速度指令出力の有無を確認し（第５ステップ１０５）、イエスの場合は、トルク速度出力をモニタ画面にて内容確認し（第６ステップ１０６）、ノーの場合には、インターロック画面にて内容確認する（第７ステップ１０７）。
【００１３】
前記第７ステップ１０７でインターロック画面にて内容を確認した後、対処可能か否かを確認し（第８ステップ１０８）、イエスの場合はユーザー側で対処し（第９ステップ１０９）、ノーの場合には、射出成形機のメーカサービス部門に連絡を行っていた（第１０ステップ１１０）。
【先行技術文献】
【特許文献】
【００１４】
【特許文献１】特開２００２−８６５３０号公報
【発明の概要】
【発明が解決しようとする課題】
【００１５】
従来の射出成形機の故障診断方法は、以上のように構成されていたため、次のような課題が存在していた。
すなわち、前述の図６の機械が動かない場合の故障診断フローチャートにおいて、ユーザー側で対処不能で、メーカサービス部門に連絡した場合、電話等による故障診断に必要な情報伝達を行うことは難しく、迅速な復旧を行うことは困難であった。
【課題を解決するための手段】
【００１６】
本発明によるコントローラは、射出成形機の動作を制御するために用いられ、少なくともコントローラ画面、コントローラ内部メモリ、故障診断出力スイッチ及び出力ポートとを有するコントローラにおいて、前記射出成形機に故障が発生した場合、前記コントローラ画面上に少なくとも故障箇所及び故障内容が表示されると共に、前記故障の診断に必要なデータが前記コントローラ内部メモリに記憶され、前記故障診断出力スイッチのオン動作により、前記故障の診断に必要なデータのみが前記出力ポートから出力される構成であり、また、前記出力ポートには外部記憶媒体が接続され、前記データのみが前記外部記憶媒体に記憶される構成であり、また、前記データのみがプリンタに入力されて記録される構成であり、また、本発明による射出成形機の故障診断方法は、射出成形機の動作を制御するために用いられ、少なくともコントローラ画面、コントローラ内部メモリ、故障診断出力スイッチ及び出力ポートとを有するコントローラを用いる射出成形機の故障診断方法において、前記射出成形機に故障が発生した場合、前記コントローラ画面上に少なくとも故障箇所及び故障内容が表示されると共に、前記故障の診断に必要なデータが前記コントローラ内部メモリに記憶され、前記故障診断出力スイッチのオン動作により、前記故障の診断に必要なデータのみが前記出力ポートから出力される方法であり、また、前記出力ポートには外部記憶媒体が接続され、前記データのみが前記外部記憶媒体に記憶される方法であり、また、前記データのみがプリンタに入力されて記録される方法である。
【発明の効果】
【００１７】
本発明による射出成形機の故障診断方法及びコントローラは、以上のように構成されているので、次のような効果を得ることができる。
すなわち、射出成形機の動作を制御するために用いられ、少なくともコントローラ画面、コントローラ内部メモリ、故障診断出力スイッチ及び出力ポートとを有するコントローラにおいて、前記射出成形機に故障が発生した場合、前記コントローラ画面上に少なくとも故障箇所及び故障内容が表示されると共に、前記故障の診断に必要なデータが前記コントローラ内部メモリに記憶され、前記故障診断出力スイッチのオン動作により、前記故障の診断に必要なデータのみが前記出力ポートから出力されることにより、故障診断に必要なデータのみをメーカーのサービス部門へ送ることができ、正確な情報伝達を短時間で行え、早期の故障復旧を達成することができる。
また、前記出力ポートには外部記憶媒体が接続され、前記データのみが前記外部記憶媒体に記憶されることにより、この外部記憶媒体を搬送することができる。
また、前記データのみがプリンタに入力されて記録されることにより、データの内容を確実に確認することができる。
【図面の簡単な説明】
【００１８】
【図１】本発明による射出成形機の故障診断方法及びコントローラを示す構成図である。
【図２】図１の射出成形機が動かない場合の概略故障診断フローチャートである。
【図３】従来の射出成形機を示す構成図である。
【図４】図３の要部の詳細図である。
【図５】図３の要部の詳細図である。
【図６】従来の射出成形機の概略故障診断フローチャートである。
【発明を実施するための形態】
【００１９】
本発明は、射出成形機が故障した場合、故障の診断に必要なデータがコントローラ内部メモリに記憶され、このデータを外部に容易に取り出すことができるようにした射出成形機の故障診断方法及びコントローラを提供することを目的とする。
【実施例】
【００２０】
以下、図面と共に本発明による射出成形機の故障診断方法及びコントローラの好適な実施の形態について説明する。
尚、従来例と同一又は同等部分には、同一符号を付して説明する。
図１において、符号２０で示されるものは、射出成形機５０に装着又はリモコン式に構成された箱状のコントローラであり、このコントローラ２０は、主として、コントローラ画面２１と、コントローラ内部メモリ２２と、故障診断出力スイッチ２３及び出力ポート２４とから構成されている。
【００２１】
前記コントローラ２０の外面２０ａには、前記出力ポート２４が設けられ、この出力ポート２４に前記コントローラ内部メモリ２２からのデータ２２ａが送られ、この出力ポート２４からのデータ２２ａは外部のプリンタ２５に供給されて記録されるように構成されている。
【００２２】
前記出力ポート２４は、図示しないコネクタ等を用いて前記データ２２ａを前述のプリンタ２５に供給することができると共に、無線、コネクタ、赤外線等の周知の手段を介して、前記出力ポート２４に外部記憶媒体３０が直接又は間接に接続されている。
尚、前記外部記憶媒体３０は、可搬型のＦＤ，ＳＤ，ＣＤ等からなり、プリンタ２５に装着することによって、周知のように印刷又は表示部を介してデータ２２ａの内容を確認することができる。
【００２３】
次に、前述の図１の射出成形機５０の構成において、射出成形機５０が故障した場合、図２で示されるように、この射出成形機５０のアラームが出力されているか否かを確認し（第１ステップ１００）、イエスの場合は、サーボ系アラームか否かを確認し（第２ステップ１０１）、イエスの場合は、サーボ系アラーム画面にて内容を確認し（第３ステップ１０３）、ノーの場合には、その他アラーム画面にて内容を確認し（第４ステップ１０４）、前記第１ステップ１００でノーの場合、トルク速度指令出力の有無を確認し（第５ステップ１０５）、イエスの場合は、トルク速度出力をコントローラ画面２１にて内容確認し（第６ステップ１０６）、ノーの場合にはインターロック画面にて内容確認する（第７ステップ１０７）。
【００２４】
前記第７ステップ１０７でインターロック画面にて内容を確認した後、対処可能か否かを確認し（第８ステップ１０８）、イエスの場合はユーザー側で対処し（第９ステップ１０９）、ノーの場合には、射出成形機のメーカサービス部門に連絡を行う（第１０ステップ１１０）。
【００２５】
前述の場合、前記射出成形機５０に故障が発生した場合、前記コントローラ画面２１上に少なくとも故障箇所４０及び故障内容４１が表示されると共に、前記故障の診断に必要なデータ２２ａ（図２の第３、第４、第６、第７ステップ１０３,１０４，１０６，１０７に開示）が前記コントローラ内部メモリ２２に記憶され、前記故障診断出力スイッチ２３のオン動作（すなわち、人手によりオンさせる場合、ロボットによりオンさせる場合、図示しない電子制御回路を用いてアラーム出力Ａにより自動起動等による）によって、前述の故障の診断に必要なデータ２２ａのみが、前記コントローラ内部メモリ２２から読み出され、プリンタ２５で印刷されるか、又は、外部記憶媒体３０に記憶される。
【００２６】
前述のプリンタ２５により印刷された印刷情報及び外部記憶媒体３０に記憶されたデータ２２ａを、ＦＡＸ又はＥメール等によってメーカーのサービス部門に送ることができる。
尚、前述の故障診断に必要なデータ２２ａは、図２の第４ステップ１０４のその他アラーム画面と、第３ステップ１０３のサーボ系アラーム画面と、第７ステップ１０７のインターロック画面と、第６ステップ１０６のトルク速度出力のモニタ画面と、からなる情報のデータで構成されている。
【産業上の利用可能性】
【００２７】
本発明による射出成形機の故障診断方法及びコントローラは、射出成形機だけではなく、押出機、中空成形機、工作機及び自動装置等に適用が可能である。
【符号の説明】
【００２８】
２０    コントローラ
２１    コントローラ画面
２２    コントローラ内部メモリ
２２ａ    データ
２３    故障診断出力スイッチ
２４    出力ポート
２５    プリンタ
３０    外部記憶媒体
４０    故障箇所
４１    故障内容
５０    射出成形機
【図１】
2011083958.tif 000003
【図２】
2011083958.tif 000004
【図３】
2011083958.tif 000005
【図４】
2011083958.tif 000006
【図５】
2011083958.tif 000007
【図６】
2011083958.tif 000008